(57)【要約】【課題】移動通信システムにおいて、ＦＤＤ方式に基づくサービスエリアのチャネルと、ＴＤＤ方式に基づくサービスエリアのチャネルの双方を割り当てることができる場合に、適切なチャネル割当を行う。【解決手段】ＴＤＤ方式に基づくサービスエリア３１のチャネルを割り当てられており、かつ、ＦＤＤ方式に基づくサービスエリア４１のチャネルを割当可能な移動局１１のうち、送信電力の大きい移動局について、その割当チャネルを、ＴＤＤ方式に基づくチャネルからＦＤＤ方式に基づくチャネルに切り替える。【選択図】図１
2006211722.tif 000002
【特許請求の範囲】
【請求項１】
移動局と１以上のサービスエリアを有する基地局との間の通信に用いるチャネルを割り当てるチャネル割当方法であって、
ＴＤＤ方式に基づくサービスエリアのチャネルを割り当てられており、かつ、ＦＤＤ方式に基づくサービスエリアのチャネルを割当可能な移動局のうち、送信電力の大きい移動局について、その割当チャネルを、ＴＤＤ方式に基づくチャネルからＦＤＤ方式に基づくチャネルに切り替えることを特徴とするチャネル割当方法。
【請求項２】
移動局と１以上のサービスエリアを有する基地局との間の通信に用いるチャネルを割り当てるチャネル割当方法であって、
ＦＤＤ方式に基づくサービスエリアのチャネルを割り当てられており、かつ、ＴＤＤ方式に基づくサービスエリアのチャネルを割当可能な移動局のうち、送信電力の小さい移動局について、その割当チャネルを、ＦＤＤ方式に基づくチャネルからＴＤＤ方式に基づくチャネルに切り替えることを特徴とするチャネル割当方法。
【請求項３】
移動局と１以上のサービスエリアを有する基地局との間の通信に用いるチャネルを割り当てるチャネル割当方法であって、
ＴＤＤ方式に基づくサービスエリアのチャネルを割り当てられており、かつ、ＦＤＤ方式に基づくサービスエリアのチャネルを割当可能な移動局のうち、現在の通信相手の基地局の下り共通チャネルの受信電力が小さい移動局について、その割当チャネルを、ＴＤＤ方式に基づくチャネルからＦＤＤ方式に基づくチャネルに切り替えることを特徴とするチャネル割当方法。
【請求項４】
移動局と１以上のサービスエリアを有する基地局との間の通信に用いるチャネルを割り当てるチャネル割当方法であって、
ＦＤＤ方式に基づくサービスエリアのチャネルを割り当てられており、かつ、ＴＤＤ方式に基づくサービスエリアのチャネルを割当可能な移動局のうち、現在の通信相手の基地局の下り共通チャネルの受信電力が大きい移動局について、その割当チャネルを、ＦＤＤ方式に基づくチャネルからＴＤＤ方式に基づくチャネルに切り替えることを特徴とするチャネル割当方法。
【請求項５】
移動局と１以上のサービスエリアを有する基地局との間の通信に用いるチャネルを割り当てるチャネル割当方法であって、
ＴＤＤ方式に基づくサービスエリアのチャネルを割り当てられており、かつ、ＦＤＤ方式に基づくサービスエリアのチャネルを割当可能な移動局のうち、上りのトラヒックと下りのトラヒックとのバランスがとれている移動局について、その割当チャネルを、ＴＤＤ方式に基づくチャネルからＦＤＤ方式に基づくチャネルに切り替えることを特徴とするチャネル割当方法。
【請求項６】
移動局と１以上のサービスエリアを有する基地局との間の通信に用いるチャネルを割り当てるチャネル割当方法であって、
ＦＤＤ方式に基づくサービスエリアのチャネルを割り当てられており、かつ、ＴＤＤ方式に基づくサービスエリアのチャネルを割当可能な移動局のうち、上りのトラヒックと下りのトラヒックとのバランスがとれていない移動局について、その割当チャネルを、ＦＤＤ方式に基づくチャネルからＴＤＤ方式に基づくチャネルに切り替えることを特徴とするチャネル割当方法。
【請求項７】
移動局と１以上のサービスエリアを有する基地局との間の通信に用いるチャネルを割り当てるチャネル割当方法であって、
ＴＤＤ方式に基づくサービスエリアのチャネルを割り当てられており、かつ、ＦＤＤ方式に基づくサービスエリアのチャネルを割当可能な移動局のうち、その割当チャネルを、ＴＤＤ方式に基づくチャネルからＦＤＤ方式に基づくチャネルに切り替えることにより、ＦＤＤ方式に基づくサービスエリアの上りのトラヒックと下りのトラヒックとのバランスがとれるようになる移動局について、その割当チャネルを、ＴＤＤ方式に基づくチャネルからＦＤＤ方式に基づくチャネルに切り替えることを特徴とするチャネル割当方法。
【請求項８】
移動局と１以上のサービスエリアを有する基地局との間の通信に用いるチャネルを割り当てるチャネル割当方法であって、
ＦＤＤ方式に基づくサービスエリアのチャネルを割り当てられており、かつ、ＴＤＤ方式に基づくサービスエリアのチャネルを割当可能な移動局のうち、その割当チャネルを、ＦＤＤ方式に基づくチャネルからＴＤＤ方式に基づくチャネルに切り替えることにより、ＦＤＤ方式に基づくサービスエリアの上りのトラヒックと下りのトラヒックとのバランスがとれるようになる移動局について、その割当チャネルを、ＦＤＤ方式に基づくチャネルからＴＤＤ方式に基づくチャネルに切り替えることを特徴とするチャネル割当方法。
【請求項９】
移動局と１以上のサービスエリアを有する基地局との間の通信に用いるチャネルを割り当てる通信装置であって、
ＴＤＤ方式に基づくサービスエリアのチャネルを割り当てられており、かつ、ＦＤＤ方式に基づくサービスエリアのチャネルを割当可能な移動局のうち、送信電力の大きい移動局について、その割当チャネルを、ＴＤＤ方式に基づくチャネルからＦＤＤ方式に基づくチャネルに切り替えることを特徴とする通信装置。
【請求項１０】
移動局と１以上のサービスエリアを有する基地局との間の通信に用いるチャネルを割り当てる通信装置であって、
ＦＤＤ方式に基づくサービスエリアのチャネルを割り当てられており、かつ、ＴＤＤ方式に基づくサービスエリアのチャネルを割当可能な移動局のうち、送信電力の小さい移動局について、その割当チャネルを、ＦＤＤ方式に基づくチャネルからＴＤＤ方式に基づくチャネルに切り替えることを特徴とする通信装置。
【請求項１１】
移動局と１以上のサービスエリアを有する基地局との間の通信に用いるチャネルを割り当てる通信装置であって、
ＴＤＤ方式に基づくサービスエリアのチャネルを割り当てられており、かつ、ＦＤＤ方式に基づくサービスエリアのチャネルを割当可能な移動局のうち、現在の通信相手の基地局の下り共通チャネルの受信電力が小さい移動局について、その割当チャネルを、ＴＤＤ方式に基づくチャネルからＦＤＤ方式に基づくチャネルに切り替えることを特徴とする通信装置。
【請求項１２】
移動局と１以上のサービスエリアを有する基地局との間の通信に用いるチャネルを割り当てる通信装置であって、
ＦＤＤ方式に基づくサービスエリアのチャネルを割り当てられており、かつ、ＴＤＤ方式に基づくサービスエリアのチャネルを割当可能な移動局のうち、現在の通信相手の基地局の下り共通チャネルの受信電力が大きい移動局について、その割当チャネルを、ＦＤＤ方式に基づくチャネルからＴＤＤ方式に基づくチャネルに切り替えることを特徴とする通信装置。
【請求項１３】
移動局と１以上のサービスエリアを有する基地局との間の通信に用いるチャネルを割り当てる通信装置であって、
ＴＤＤ方式に基づくサービスエリアのチャネルを割り当てられており、かつ、ＦＤＤ方式に基づくサービスエリアのチャネルを割当可能な移動局のうち、上りのトラヒックと下りのトラヒックとのバランスがとれている移動局について、その割当チャネルを、ＴＤＤ方式に基づくチャネルからＦＤＤ方式に基づくチャネルに切り替えることを特徴とする通信装置。
【請求項１４】
移動局と１以上のサービスエリアを有する基地局との間の通信に用いるチャネルを割り当てる通信装置であって、
ＦＤＤ方式に基づくサービスエリアのチャネルを割り当てられており、かつ、ＴＤＤ方式に基づくサービスエリアのチャネルを割当可能な移動局のうち、上りのトラヒックと下りのトラヒックとのバランスがとれていない移動局について、その割当チャネルを、ＦＤＤ方式に基づくチャネルからＴＤＤ方式に基づくチャネルに切り替えることを特徴とする通信装置。
【請求項１５】
移動局と１以上のサービスエリアを有する基地局との間の通信に用いるチャネルを割り当てる通信装置であって、
ＴＤＤ方式に基づくサービスエリアのチャネルを割り当てられており、かつ、ＦＤＤ方式に基づくサービスエリアのチャネルを割当可能な移動局のうち、その割当チャネルを、ＴＤＤ方式に基づくチャネルからＦＤＤ方式に基づくチャネルに切り替えることにより、ＦＤＤ方式に基づくサービスエリアの上りのトラヒックと下りのトラヒックとのバランスがとれるようになる移動局について、その割当チャネルを、ＴＤＤ方式に基づくチャネルからＦＤＤ方式に基づくチャネルに切り替えることを特徴とする通信装置。
【請求項１６】
移動局と１以上のサービスエリアを有する基地局との間の通信に用いるチャネルを割り当てる通信装置であって、
ＦＤＤ方式に基づくサービスエリアのチャネルを割り当てられており、かつ、ＴＤＤ方式に基づくサービスエリアのチャネルを割当可能な移動局のうち、その割当チャネルを、ＦＤＤ方式に基づくチャネルからＴＤＤ方式に基づくチャネルに切り替えることにより、ＦＤＤ方式に基づくサービスエリアの上りのトラヒックと下りのトラヒックとのバランスがとれるようになる移動局について、その割当チャネルを、ＦＤＤ方式に基づくチャネルからＴＤＤ方式に基づくチャネルに切り替えることを特徴とする通信装置。
【発明の詳細な説明】
【技術分野】
【０００１】
本発明は、チャネル割当方法および通信装置に関し、より具体的には、移動通信システムにおいて、ＣＤＭＡ−ＦＤＤ方式に基づくサービスエリアのチャネルと、ＣＤＭＡ−ＴＤＤ方式に基づくサービスエリアのチャネルの双方を割り当てることができる場合に、適切なチャネル割当を行うチャネル割当方法および通信装置に関する。
【背景技術】
【０００２】
従来、２種類以上のエアインタフェースで同一のサービスを提供する例はなかった。
【０００３】
一方、移動通信等に用いられるＣＤＭＡ(Code Division Multiple Access)方式には、例えばＩＭＴ−２０００において検討されているように、ＣＤＭＡ−ＦＤＤ(Frequency Division Duplex)方式、およびＣＤＭＡ−ＴＤＤ(Time Division Duplex)方式が含まれる。
【発明の開示】
【発明が解決しようとする課題】
【０００４】
そこで、上述したＣＤＭＡ−ＦＤＤ方式、およびＣＤＭＡ−ＴＤＤ方式の双方を用いてサービスを提供することが考えられる。
【０００５】
図１は、移動通信システムの例を示す図である。図１の例では、各基地局がＣＤＭＡ−ＦＤＤ方式、およびＣＤＭＡ−ＴＤＤ方式の双方により同一のサービスを提供している。
【０００６】
また、図１の例では、各基地局につき、ＣＤＭＡ−ＦＤＤ方式に基づくサービスエリア（セル）、およびＣＤＭＡ−ＴＤＤ方式に基づくサービスエリア（セル）をそれぞれ１つずつ設けている。ただし、例えば、セルを複数のセクタに分割して、１つの基地局が各方式につき、複数のサービスエリア（セクタ）を有するようにすることもできる。図４の例では、セル６０を６つのセクタ６１〜６６に分割している。
【０００７】
図１の例において、基地局２１は、ＣＤＭＡ−ＴＤＤ方式に基づくサービスエリア３１、およびＣＤＭＡ−ＦＤＤ方式に基づくサービスエリア４１を有する。また、基地局２２は、ＣＤＭＡ−ＴＤＤ方式に基づくサービスエリア３２、およびＣＤＭＡ−ＦＤＤ方式に基づくサービスエリア４２を有する。また、基地局２３は、ＣＤＭＡ−ＴＤＤ方式に基づくサービスエリア３３、およびＣＤＭＡ−ＦＤＤ方式に基づくサービスエリア４３を有する。移動局１１は、例えば、図１に示すように、ＣＤＭＡ−ＴＤＤ方式に基づくサービスエリア（サービスエリア３１）およびＣＤＭＡ−ＦＤＤ方式に基づくサービスエリア（サービスエリア４１）の双方に在圏するときは、基地局（基地局２１）と、ＣＤＭＡ−ＴＤＤ方式またはＣＤＭＡ−ＦＤＤ方式のいずれかに基づく無線通信を行うことができる。
【０００８】
制御局５１は、各基地局を制御し、移動局と基地局との間の無線通信に用いるチャネルの管理を行っている。すなわち、制御局５１は、現在のチャネルの状態（各サービスエリアで用いられているチャネル、空きチャネルの状態等）を把握し、管理を行っている。そして、チャネル割当要求があると、現在のチャネルの状態を考慮して、チャネル割当てを行う。チャネルの割当要求は、サービスエリアで呼が生起したとき、他のサービスエリアから自サービスエリアへハンドオーバ呼が入ってきたとき等に発生する。
【０００９】
図２は、制御局の構成例を示すブロック図である。図２に示す制御局５１は、制御部５６、記憶部５７、および通信部５８、５９を備える。制御部５６は各種の制御を行う。記憶部５７には、現在のチャネルの状態が記憶されており、制御部５６は、その記憶されている現在のチャネルの状態を考慮して、チャネル割当てを行う。また、制御部５６は、通信部５８を介して各基地局と、通信部５９を介して交換局等と通信を行うことができる。
【００１０】
サービスエリアの大きさ（広さ）については、ＣＤＭＡ−ＴＤＤ方式では、送信時間がスロットに分割されるため、送信電力をＦＤＤと同程度に設定すると、一般的には、図１に示すように、ＣＤＭＡ−ＦＤＤ方式に基づくサービスエリアの方がＣＤＭＡ−ＴＤＤ方式に基づくサービスエリアよりも大きくなる。都心部等で、ＣＤＭＡ−ＦＤＤ方式のサービスエリアを故意に小さくしている場合は、ＦＤＤのサービスエリアとＴＤＤのサービスエリアがほぼ一致する場合や、逆にＴＤＤのサービスエリアの方が広くなる場合もある。
【００１１】
図３は、移動通信システムの別の例を示す図である。図３は、ＣＤＭＡ−ＦＤＤ方式によるサービスを提供する基地局と、ＣＤＭＡ−ＴＤＤ方式による同一のサービスを提供する基地局とが分かれている場合の例である。
【００１２】
図３の例では、各基地局につき１つのサービスエリア（セル）を設けている。ただし、例えば、セルを複数のセクタに分割して、１つの基地局が複数のサービスエリア（セクタ）を有するようにすることもできる。
【００１３】
図３の例において、基地局２４はＣＤＭＡ−ＴＤＤ方式に基づくサービスエリア３４を有し、基地局２５はＣＤＭＡ−ＴＤＤ方式に基づくサービスエリア３５を有し、基地局２６はＣＤＭＡ−ＦＤＤ方式に基づくサービスエリア４６を有する。移動局１２は、例えば、図３に示すように、ＣＤＭＡ−ＴＤＤ方式に基づくサービスエリア（サービスエリア３４）およびＣＤＭＡ−ＦＤＤ方式に基づくサービスエリア（サービスエリア４６）の双方に在圏するときは、基地局（基地局２４または基地局２６）と、ＣＤＭＡ−ＴＤＤ方式またはＣＤＭＡ−ＦＤＤ方式のいずれかに基づく通信を行うことができる。
【００１４】
制御局５２は、各基地局を制御し、移動局と基地局との間の無線通信に用いるチャネルの管理を行っている。そして、チャネル割当要求があると、現在のチャネルの状態を考慮して、チャネル割当てを行う。制御局５２についても、制御局５１と同様に、図２に示すように構成することができる。
【００１５】
このような移動通信システムにおいて、ＣＤＭＡ−ＦＤＤ方式に基づくサービスエリアのチャネルと、ＣＤＭＡ−ＴＤＤ方式に基づくサービスエリアのチャネルの双方を割り当てることができる場合に、どちらのチャネルを割り当てるかが問題となる。
【００１６】
そこで、本発明の目的は、移動通信システムにおいて、ＦＤＤ方式に基づくサービスエリアのチャネルと、ＴＤＤ方式に基づくサービスエリアのチャネルの双方を割り当てることができる場合に、適切なチャネル割当を行うことである。
【課題を解決するための手段】
【００１７】
上記目的を達成するために、本発明の第１の態様は、移動局と１以上のサービスエリアを有する基地局との間の通信に用いるチャネルを割り当てるチャネル割当方法であって、ＴＤＤ方式に基づくサービスエリアのチャネルを割り当てられており、かつ、ＦＤＤ方式に基づくサービスエリアのチャネルを割当可能な移動局のうち、送信電力の大きい移動局について、その割当チャネルを、ＴＤＤ方式に基づくチャネルからＦＤＤ方式に基づくチャネルに切り替えることを特徴とする。
【００１８】
本発明の第２の態様は、移動局と１以上のサービスエリアを有する基地局との間の通信に用いるチャネルを割り当てるチャネル割当方法であって、ＦＤＤ方式に基づくサービスエリアのチャネルを割り当てられており、かつ、ＴＤＤ方式に基づくサービスエリアのチャネルを割当可能な移動局のうち、送信電力の小さい移動局について、その割当チャネルを、ＦＤＤ方式に基づくチャネルからＴＤＤ方式に基づくチャネルに切り替えることを特徴とする。
【００１９】
本発明の第３の態様は、移動局と１以上のサービスエリアを有する基地局との間の通信に用いるチャネルを割り当てるチャネル割当方法であって、ＴＤＤ方式に基づくサービスエリアのチャネルを割り当てられており、かつ、ＦＤＤ方式に基づくサービスエリアのチャネルを割当可能な移動局のうち、現在の通信相手の基地局の下り共通チャネルの受信電力が小さい移動局について、その割当チャネルを、ＴＤＤ方式に基づくチャネルからＦＤＤ方式に基づくチャネルに切り替えることを特徴とする。
【００２０】
本発明の第４の態様は、移動局と１以上のサービスエリアを有する基地局との間の通信に用いるチャネルを割り当てるチャネル割当方法であって、ＦＤＤ方式に基づくサービスエリアのチャネルを割り当てられており、かつ、ＴＤＤ方式に基づくサービスエリアのチャネルを割当可能な移動局のうち、現在の通信相手の基地局の下り共通チャネルの受信電力が大きい移動局について、その割当チャネルを、ＦＤＤ方式に基づくチャネルからＴＤＤ方式に基づくチャネルに切り替えることを特徴とする。
【００２１】
本発明の第５の態様は、移動局と１以上のサービスエリアを有する基地局との間の通信に用いるチャネルを割り当てるチャネル割当方法であって、ＴＤＤ方式に基づくサービスエリアのチャネルを割り当てられており、かつ、ＦＤＤ方式に基づくサービスエリアのチャネルを割当可能な移動局のうち、上りのトラヒックと下りのトラヒックとのバランスがとれている移動局について、その割当チャネルを、ＴＤＤ方式に基づくチャネルからＦＤＤ方式に基づくチャネルに切り替えることを特徴とする。
【００２２】
本発明の第６の態様は、移動局と１以上のサービスエリアを有する基地局との間の通信に用いるチャネルを割り当てるチャネル割当方法であって、ＦＤＤ方式に基づくサービスエリアのチャネルを割り当てられており、かつ、ＴＤＤ方式に基づくサービスエリアのチャネルを割当可能な移動局のうち、上りのトラヒックと下りのトラヒックとのバランスがとれていない移動局について、その割当チャネルを、ＦＤＤ方式に基づくチャネルからＴＤＤ方式に基づくチャネルに切り替えることを特徴とする。
【００２３】
本発明の第７の態様は、移動局と１以上のサービスエリアを有する基地局との間の通信に用いるチャネルを割り当てるチャネル割当方法であって、ＴＤＤ方式に基づくサービスエリアのチャネルを割り当てられており、かつ、ＦＤＤ方式に基づくサービスエリアのチャネルを割当可能な移動局のうち、その割当チャネルを、ＴＤＤ方式に基づくチャネルからＦＤＤ方式に基づくチャネルに切り替えることにより、ＦＤＤ方式に基づくサービスエリアの上りのトラヒックと下りのトラヒックとのバランスがとれるようになる移動局について、その割当チャネルを、ＴＤＤ方式に基づくチャネルからＦＤＤ方式に基づくチャネルに切り替えることを特徴とする。
【００２４】
本発明の第８の態様は、移動局と１以上のサービスエリアを有する基地局との間の通信に用いるチャネルを割り当てるチャネル割当方法であって、ＦＤＤ方式に基づくサービスエリアのチャネルを割り当てられており、かつ、ＴＤＤ方式に基づくサービスエリアのチャネルを割当可能な移動局のうち、その割当チャネルを、ＦＤＤ方式に基づくチャネルからＴＤＤ方式に基づくチャネルに切り替えることにより、ＦＤＤ方式に基づくサービスエリアの上りのトラヒックと下りのトラヒックとのバランスがとれるようになる移動局について、その割当チャネルを、ＦＤＤ方式に基づくチャネルからＴＤＤ方式に基づくチャネルに切り替えることを特徴とする。
【００２５】
本発明の第９の態様は、移動局と１以上のサービスエリアを有する基地局との間の通信に用いるチャネルを割り当てる通信装置であって、ＴＤＤ方式に基づくサービスエリアのチャネルを割り当てられており、かつ、ＦＤＤ方式に基づくサービスエリアのチャネルを割当可能な移動局のうち、送信電力の大きい移動局について、その割当チャネルを、ＴＤＤ方式に基づくチャネルからＦＤＤ方式に基づくチャネルに切り替えることを特徴とする。
【００２６】
本発明の第１０の態様は、移動局と１以上のサービスエリアを有する基地局との間の通信に用いるチャネルを割り当てる通信装置であって、ＦＤＤ方式に基づくサービスエリアのチャネルを割り当てられており、かつ、ＴＤＤ方式に基づくサービスエリアのチャネルを割当可能な移動局のうち、送信電力の小さい移動局について、その割当チャネルを、ＦＤＤ方式に基づくチャネルからＴＤＤ方式に基づくチャネルに切り替えることを特徴とする。
【００２７】
本発明の第１１の態様は、移動局と１以上のサービスエリアを有する基地局との間の通信に用いるチャネルを割り当てる通信装置であって、ＴＤＤ方式に基づくサービスエリアのチャネルを割り当てられており、かつ、ＦＤＤ方式に基づくサービスエリアのチャネルを割当可能な移動局のうち、現在の通信相手の基地局の下り共通チャネルの受信電力が小さい移動局について、その割当チャネルを、ＴＤＤ方式に基づくチャネルからＦＤＤ方式に基づくチャネルに切り替えることを特徴とする。
【００２８】
本発明の第１２の態様は、移動局と１以上のサービスエリアを有する基地局との間の通信に用いるチャネルを割り当てる通信装置であって、ＦＤＤ方式に基づくサービスエリアのチャネルを割り当てられており、かつ、ＴＤＤ方式に基づくサービスエリアのチャネルを割当可能な移動局のうち、現在の通信相手の基地局の下り共通チャネルの受信電力が大きい移動局について、その割当チャネルを、ＦＤＤ方式に基づくチャネルからＴＤＤ方式に基づくチャネルに切り替えることを特徴とする。
【００２９】
本発明の第１３の態様は、移動局と１以上のサービスエリアを有する基地局との間の通信に用いるチャネルを割り当てる通信装置であって、ＴＤＤ方式に基づくサービスエリアのチャネルを割り当てられており、かつ、ＦＤＤ方式に基づくサービスエリアのチャネルを割当可能な移動局のうち、上りのトラヒックと下りのトラヒックとのバランスがとれている移動局について、その割当チャネルを、ＴＤＤ方式に基づくチャネルからＦＤＤ方式に基づくチャネルに切り替えることを特徴とする。
【００３０】
本発明の第１４の態様は、移動局と１以上のサービスエリアを有する基地局との間の通信に用いるチャネルを割り当てる通信装置であって、ＦＤＤ方式に基づくサービスエリアのチャネルを割り当てられており、かつ、ＴＤＤ方式に基づくサービスエリアのチャネルを割当可能な移動局のうち、上りのトラヒックと下りのトラヒックとのバランスがとれていない移動局について、その割当チャネルを、ＦＤＤ方式に基づくチャネルからＴＤＤ方式に基づくチャネルに切り替えることを特徴とする。
【００３１】
本発明の第１５の態様は、移動局と１以上のサービスエリアを有する基地局との間の通信に用いるチャネルを割り当てる通信装置であって、ＴＤＤ方式に基づくサービスエリアのチャネルを割り当てられており、かつ、ＦＤＤ方式に基づくサービスエリアのチャネルを割当可能な移動局のうち、その割当チャネルを、ＴＤＤ方式に基づくチャネルからＦＤＤ方式に基づくチャネルに切り替えることにより、ＦＤＤ方式に基づくサービスエリアの上りのトラヒックと下りのトラヒックとのバランスがとれるようになる移動局について、その割当チャネルを、ＴＤＤ方式に基づくチャネルからＦＤＤ方式に基づくチャネルに切り替えることを特徴とする。
【００３２】
本発明の第１６の態様は、移動局と１以上のサービスエリアを有する基地局との間の通信に用いるチャネルを割り当てる通信装置であって、ＦＤＤ方式に基づくサービスエリアのチャネルを割り当てられており、かつ、ＴＤＤ方式に基づくサービスエリアのチャネルを割当可能な移動局のうち、その割当チャネルを、ＦＤＤ方式に基づくチャネルからＴＤＤ方式に基づくチャネルに切り替えることにより、ＦＤＤ方式に基づくサービスエリアの上りのトラヒックと下りのトラヒックとのバランスがとれるようになる移動局について、その割当チャネルを、ＦＤＤ方式に基づくチャネルからＴＤＤ方式に基づくチャネルに切り替えることを特徴とする。
【００３３】
本発明の第１７の態様は、移動局と１以上のサービスエリアを有する基地局との間の通信に用いるチャネルを割り当てるチャネル割当方法であって、チャネル割当要求があった際に、該チャネル割当要求に対して、ＣＤＭＡ−ＦＤＤ方式に基づくサービスエリアのチャネルおよびＣＤＭＡ−ＴＤＤ方式に基づくサービスエリアのチャネルの双方が割当可能である場合には、ＣＤＭＡ−ＦＤＤ方式に基づくサービスエリアのチャネルを割り当てることを特徴とする。
【００３４】
本発明の第１８の態様は、移動局と１以上のサービスエリアを有する基地局との間の通信に用いるチャネルを割り当てるチャネル割当方法であって、チャネル割当要求があった際に、該チャネル割当要求に対して、ＣＤＭＡ−ＦＤＤ方式に基づくサービスエリアのチャネルおよびＣＤＭＡ−ＴＤＤ方式に基づくサービスエリアのチャネルの双方が割当可能であり、かつ、該チャネル割当要求に係る移動局のハンドオーバの頻度が高い場合には、ＣＤＭＡ−ＦＤＤ方式に基づくサービスエリアのチャネルを割り当てることを特徴とする。
【００３５】
本発明の第１９の態様は、移動局と１以上のサービスエリアを有する基地局との間の通信に用いるチャネルを割り当てるチャネル割当方法であって、チャネル割当要求があった際に、該チャネル割当要求に対して、ＣＤＭＡ−ＦＤＤ方式に基づくサービスエリアのチャネルおよびＣＤＭＡ−ＴＤＤ方式に基づくサービスエリアのチャネルの双方が割当可能であり、かつ、該チャネル割当要求に係る移動局のハンドオーバの頻度が低い場合には、ＣＤＭＡ−ＴＤＤ方式に基づくサービスエリアのチャネルを割り当てることを特徴とする。
【００３６】
本発明の第２０の態様は、移動局と１以上のサービスエリアを有する基地局との間の通信に用いるチャネルを割り当てるチャネル割当方法であって、チャネル割当要求があった際に、該チャネル割当要求に対して、ＣＤＭＡ−ＦＤＤ方式に基づくサービスエリアのチャネルおよびＣＤＭＡ−ＴＤＤ方式に基づくサービスエリアのチャネルの双方が割当可能であり、かつ、該チャネル割当要求に係る移動局の下り共通チャネルの受信電力の最大値が小さい場合には、ＣＤＭＡ−ＦＤＤ方式に基づくサービスエリアのチャネルを割り当てることを特徴とする。
【００３７】
本発明の第２１の態様は、移動局と１以上のサービスエリアを有する基地局との間の通信に用いるチャネルを割り当てるチャネル割当方法であって、チャネル割当要求があった際に、該チャネル割当要求に対して、ＣＤＭＡ−ＦＤＤ方式に基づくサービスエリアのチャネルおよびＣＤＭＡ−ＴＤＤ方式に基づくサービスエリアのチャネルの双方が割当可能であり、かつ、該チャネル割当要求に係る移動局の下り共通チャネルの受信電力の最大値が大きい場合には、ＣＤＭＡ−ＴＤＤ方式に基づくサービスエリアのチャネルを割り当てることを特徴とする。
【００３８】
本発明の第２２の態様は、移動局と１以上のサービスエリアを有する基地局との間の通信に用いるチャネルを割り当てるチャネル割当方法であって、チャネル割当要求があった際に、該チャネル割当要求に対して、ＣＤＭＡ−ＦＤＤ方式に基づくサービスエリアのチャネルおよびＣＤＭＡ−ＴＤＤ方式に基づくサービスエリアのチャネルの双方が割当可能である場合には、該チャネル割当要求に係る通信の種類に応じて、ＣＤＭＡ−ＦＤＤ方式に基づくサービスエリアのチャネルまたはＣＤＭＡ−ＴＤＤ方式に基づくサービスエリアのチャネルの一方を割り当てることを特徴とする。
【００３９】
本発明の第２３の態様は、本発明の第２２の態様のチャネル割当方法であって、チャネル割当要求があった際に、該チャネル割当要求に対して、ＣＤＭＡ−ＦＤＤ方式に基づくサービスエリアのチャネルおよびＣＤＭＡ−ＴＤＤ方式に基づくサービスエリアのチャネルの双方が割当可能である場合であって、該チャネル割当要求に係る通信の種類が音声通信の場合には、ＣＤＭＡ−ＦＤＤ方式に基づくサービスエリアのチャネルを割り当て、該チャネル割当要求に係る通信の種類がデータ通信の場合には、ＣＤＭＡ−ＴＤＤ方式に基づくサービスエリアのチャネルを割り当てることを特徴とする。
【００４０】
本発明の第２４の態様は、移動局と１以上のサービスエリアを有する基地局との間の通信に用いるチャネルを割り当てるチャネル割当方法であって、ＣＤＭＡ−ＴＤＤ方式に基づくサービスエリアのチャネルを割り当てられており、かつ、ＣＤＭＡ−ＦＤＤ方式に基づくサービスエリアのチャネルを割当可能な移動局のうち、ハンドオーバの頻度の高い移動局について、その割当チャネルを、ＣＤＭＡ−ＴＤＤ方式に基づくチャネルからＣＤＭＡ−ＦＤＤ方式に基づくチャネルに切り替えることを特徴とする。
【００４１】
本発明の第２５の態様は、移動局と１以上のサービスエリアを有する基地局との間の通信に用いるチャネルを割り当てるチャネル割当方法であって、ＣＤＭＡ−ＦＤＤ方式に基づくサービスエリアのチャネルを割り当てられており、かつ、ＣＤＭＡ−ＴＤＤ方式に基づくサービスエリアのチャネルを割当可能な移動局のうち、ハンドオーバの頻度の低い移動局について、その割当チャネルを、ＣＤＭＡ−ＦＤＤ方式に基づくチャネルからＣＤＭＡ−ＴＤＤ方式に基づくチャネルに切り替えることを特徴とする。
【００４２】
本発明の第２６の態様は、移動局と１以上のサービスエリアを有する基地局との間の通信に用いるチャネルを割り当てるチャネル割当方法であって、ＣＤＭＡ−ＴＤＤ方式に基づくサービスエリアのチャネルを割り当てられており、かつ、ＣＤＭＡ−ＦＤＤ方式に基づくサービスエリアのチャネルを割当可能な移動局のうち、送信電力の大きい移動局について、その割当チャネルを、ＣＤＭＡ−ＴＤＤ方式に基づくチャネルからＣＤＭＡ−ＦＤＤ方式に基づくチャネルに切り替えることを特徴とする。
【００４３】
本発明の第２７の態様は、移動局と１以上のサービスエリアを有する基地局との間の通信に用いるチャネルを割り当てるチャネル割当方法であって、ＣＤＭＡ−ＦＤＤ方式に基づくサービスエリアのチャネルを割り当てられており、かつ、ＣＤＭＡ−ＴＤＤ方式に基づくサービスエリアのチャネルを割当可能な移動局のうち、送信電力の小さい移動局について、その割当チャネルを、ＣＤＭＡ−ＦＤＤ方式に基づくチャネルからＣＤＭＡ−ＴＤＤ方式に基づくチャネルに切り替えることを特徴とする。
【００４４】
本発明の第２８の態様は、移動局と１以上のサービスエリアを有する基地局との間の通信に用いるチャネルを割り当てるチャネル割当方法であって、ＣＤＭＡ−ＴＤＤ方式に基づくサービスエリアのチャネルを割り当てられており、かつ、ＣＤＭＡ−ＦＤＤ方式に基づくサービスエリアのチャネルを割当可能な移動局のうち、現在の通信相手の基地局の下り共通チャネルの受信電力が小さい移動局について、その割当チャネルを、ＣＤＭＡ−ＴＤＤ方式に基づくチャネルからＣＤＭＡ−ＦＤＤ方式に基づくチャネルに切り替えることを特徴とする。
【００４５】
本発明の第２９の態様は、移動局と１以上のサービスエリアを有する基地局との間の通信に用いるチャネルを割り当てるチャネル割当方法であって、ＣＤＭＡ−ＦＤＤ方式に基づくサービスエリアのチャネルを割り当てられており、かつ、ＣＤＭＡ−ＴＤＤ方式に基づくサービスエリアのチャネルを割当可能な移動局のうち、現在の通信相手の基地局の下り共通チャネルの受信電力が大きい移動局について、その割当チャネルを、ＣＤＭＡ−ＦＤＤ方式に基づくチャネルからＣＤＭＡ−ＴＤＤ方式に基づくチャネルに切り替えることを特徴とする。
【００４６】
本発明の第３０の態様は、移動局と１以上のサービスエリアを有する基地局との間の通信に用いるチャネルを割り当てるチャネル割当方法であって、ＣＤＭＡ−ＴＤＤ方式に基づくサービスエリアのチャネルを割り当てられており、かつ、ＣＤＭＡ−ＦＤＤ方式に基づくサービスエリアのチャネルを割当可能な移動局のうち、上りのトラヒックと下りのトラヒックとのバランスがとれている移動局について、その割当チャネルを、ＣＤＭＡ−ＴＤＤ方式に基づくチャネルからＣＤＭＡ−ＦＤＤ方式に基づくチャネルに切り替えることを特徴とする。
【００４７】
本発明の第３１の態様は、移動局と１以上のサービスエリアを有する基地局との間の通信に用いるチャネルを割り当てるチャネル割当方法であって、ＣＤＭＡ−ＦＤＤ方式に基づくサービスエリアのチャネルを割り当てられており、かつ、ＣＤＭＡ−ＴＤＤ方式に基づくサービスエリアのチャネルを割当可能な移動局のうち、上りのトラヒックと下りのトラヒックとのバランスがとれていない移動局について、その割当チャネルを、ＣＤＭＡ−ＦＤＤ方式に基づくチャネルからＣＤＭＡ−ＴＤＤ方式に基づくチャネルに切り替えることを特徴とする。
【００４８】
本発明の第３２の態様は、移動局と１以上のサービスエリアを有する基地局との間の通信に用いるチャネルを割り当てるチャネル割当方法であって、ＣＤＭＡ−ＴＤＤ方式に基づくサービスエリアのチャネルを割り当てられており、かつ、ＣＤＭＡ−ＦＤＤ方式に基づくサービスエリアのチャネルを割当可能な移動局のうち、その割当チャネルを、ＣＤＭＡ−ＴＤＤ方式に基づくチャネルからＣＤＭＡ−ＦＤＤ方式に基づくチャネルに切り替えることにより、ＣＤＭＡ−ＦＤＤ方式に基づくサービスエリアの上りのトラヒックと下りのトラヒックとのバランスがとれるようになる移動局について、その割当チャネルを、ＣＤＭＡ−ＴＤＤ方式に基づくチャネルからＣＤＭＡ−ＦＤＤ方式に基づくチャネルに切り替えることを特徴とする。
【００４９】
本発明の第３３の態様は、移動局と１以上のサービスエリアを有する基地局との間の通信に用いるチャネルを割り当てるチャネル割当方法であって、ＣＤＭＡ−ＦＤＤ方式に基づくサービスエリアのチャネルを割り当てられており、かつ、ＣＤＭＡ−ＴＤＤ方式に基づくサービスエリアのチャネルを割当可能な移動局のうち、その割当チャネルを、ＣＤＭＡ−ＦＤＤ方式に基づくチャネルからＣＤＭＡ−ＴＤＤ方式に基づくチャネルに切り替えることにより、ＣＤＭＡ−ＦＤＤ方式に基づくサービスエリアの上りのトラヒックと下りのトラヒックとのバランスがとれるようになる移動局について、その割当チャネルを、ＣＤＭＡ−ＦＤＤ方式に基づくチャネルからＣＤＭＡ−ＴＤＤ方式に基づくチャネルに切り替えることを特徴とする。
【００５０】
本発明の第３４の態様は、移動局と１以上のサービスエリアを有する基地局との間の通信に用いるチャネルを割り当てるチャネル割当方法であって、ＣＤＭＡ−ＴＤＤ方式に基づくサービスエリアのチャネルを割り当てられており、かつ、ＣＤＭＡ−ＦＤＤ方式に基づくサービスエリアのチャネルを割当可能な移動局のうち、現在特定の種類の通信を行っている移動局について、その割当チャネルを、ＣＤＭＡ−ＴＤＤ方式に基づくチャネルからＣＤＭＡ−ＦＤＤ方式に基づくチャネルに切り替えることを特徴とする。
【００５１】
本発明の第３５の態様は、本発明の第３４の態様のチャネル割当方法であって、ＣＤＭＡ−ＴＤＤ方式に基づくサービスエリアのチャネルを割り当てられており、かつ、ＣＤＭＡ−ＦＤＤ方式に基づくサービスエリアのチャネルを割当可能な移動局のうち、現在音声通信を行っている移動局について、その割当チャネルを、ＣＤＭＡ−ＴＤＤ方式に基づくチャネルからＣＤＭＡ−ＦＤＤ方式に基づくチャネルに切り替えることを特徴とする。
【００５２】
本発明の第３６の態様は、移動局と１以上のサービスエリアを有する基地局との間の通信に用いるチャネルを割り当てるチャネル割当方法であって、ＣＤＭＡ−ＦＤＤ方式に基づくサービスエリアのチャネルを割り当てられており、かつ、ＣＤＭＡ−ＴＤＤ方式に基づくサービスエリアのチャネルを割当可能な移動局のうち、現在特定の種類の通信を行っている移動局について、その割当チャネルを、ＣＤＭＡ−ＦＤＤ方式に基づくチャネルからＣＤＭＡ−ＴＤＤ方式に基づくチャネルに切り替えることを特徴とする。
【００５３】
本発明の第３７の態様は、本発明の第３６の態様のチャネル割当方法であって、ＣＤＭＡ−ＦＤＤ方式に基づくサービスエリアのチャネルを割り当てられており、かつ、ＣＤＭＡ−ＴＤＤ方式に基づくサービスエリアのチャネルを割当可能な移動局のうち、現在データ通信を行っている移動局について、その割当チャネルを、ＣＤＭＡ−ＦＤＤ方式に基づくチャネルからＣＤＭＡ−ＴＤＤ方式に基づくチャネルに切り替えることを特徴とする。
【００５４】
本発明の第３８の態様は、本発明の第２４、第２６、第２８、第３０、第３２、第３４または第３５の態様のチャネル割当方法であって、前記切り替えを、ＣＤＭＡ−ＴＤＤ方式に基づくサービスエリアのトラヒックまたは干渉が大きくなった場合に行うことを特徴とする。
【００５５】
本発明の第３９の態様は、本発明の第２５、第２７、第２９、第３１、第３３、第３６または第３７の態様のチャネル割当方法であって、前記切り替えを、ＣＤＭＡ−ＦＤＤ方式に基づくサービスエリアのトラヒックまたは干渉が大きくなった場合に行うことを特徴とする。
【００５６】
本発明の第４０の態様は、移動局と１以上のサービスエリアを有する基地局との間の通信に用いるチャネルを割り当てるチャネル割当方法であって、ＣＤＭＡ−ＴＤＤ方式に基づくサービスエリアのトラヒックまたは干渉が大きくなった場合には、該サービスエリアのチャネルを割り当てられており、かつ、ＣＤＭＡ−ＦＤＤ方式に基づくサービスエリアのチャネルを割当可能な移動局について、その割当チャネルを、ＣＤＭＡ−ＴＤＤ方式に基づくチャネルからＣＤＭＡ−ＦＤＤ方式に基づくチャネルに切り替えることを特徴とする。
【００５７】
本発明の第４１の態様は、移動局と１以上のサービスエリアを有する基地局との間の通信に用いるチャネルを割り当てるチャネル割当方法であって、ＣＤＭＡ−ＦＤＤ方式に基づくサービスエリアのトラヒックまたは干渉が大きくなった場合には、該サービスエリアのチャネルを割り当てられており、かつ、ＣＤＭＡ−ＴＤＤ方式に基づくサービスエリアのチャネルを割当可能な移動局について、その割当チャネルを、ＣＤＭＡ−ＦＤＤ方式に基づくチャネルからＣＤＭＡ−ＴＤＤ方式に基づくチャネルに切り替えることを特徴とする。
【００５８】
本発明の第４２の態様は、移動局と１以上のサービスエリアを有する基地局との間の通信に用いるチャネルを割り当てる通信装置であって、チャネル割当要求があった際に、該チャネル割当要求に対して、ＣＤＭＡ−ＦＤＤ方式に基づくサービスエリアのチャネルおよびＣＤＭＡ−ＴＤＤ方式に基づくサービスエリアのチャネルの双方が割当可能である場合には、ＣＤＭＡ−ＦＤＤ方式に基づくサービスエリアのチャネルを割り当てることを特徴とする。
【００５９】
本発明の第４３の態様は、移動局と１以上のサービスエリアを有する基地局との間の通信に用いるチャネルを割り当てる通信装置であって、チャネル割当要求があった際に、該チャネル割当要求に対して、ＣＤＭＡ−ＦＤＤ方式に基づくサービスエリアのチャネルおよびＣＤＭＡ−ＴＤＤ方式に基づくサービスエリアのチャネルの双方が割当可能であり、かつ、該チャネル割当要求に係る移動局のハンドオーバの頻度が高い場合には、ＣＤＭＡ−ＦＤＤ方式に基づくサービスエリアのチャネルを割り当てることを特徴とする。
【００６０】
本発明の第４４の態様は、移動局と１以上のサービスエリアを有する基地局との間の通信に用いるチャネルを割り当てる通信装置であって、チャネル割当要求があった際に、該チャネル割当要求に対して、ＣＤＭＡ−ＦＤＤ方式に基づくサービスエリアのチャネルおよびＣＤＭＡ−ＴＤＤ方式に基づくサービスエリアのチャネルの双方が割当可能であり、かつ、該チャネル割当要求に係る移動局のハンドオーバの頻度が低い場合には、ＣＤＭＡ−ＴＤＤ方式に基づくサービスエリアのチャネルを割り当てることを特徴とする。
【００６１】
本発明の第４５の態様は、移動局と１以上のサービスエリアを有する基地局との間の通信に用いるチャネルを割り当てる通信装置であって、チャネル割当要求があった際に、該チャネル割当要求に対して、ＣＤＭＡ−ＦＤＤ方式に基づくサービスエリアのチャネルおよびＣＤＭＡ−ＴＤＤ方式に基づくサービスエリアのチャネルの双方が割当可能であり、かつ、該チャネル割当要求に係る移動局の下り共通チャネルの受信電力の最大値が小さい場合には、ＣＤＭＡ−ＦＤＤ方式に基づくサービスエリアのチャネルを割り当てることを特徴とする。
【００６２】
本発明の第４６の態様は、移動局と１以上のサービスエリアを有する基地局との間の通信に用いるチャネルを割り当てる通信装置であって、チャネル割当要求があった際に、該チャネル割当要求に対して、ＣＤＭＡ−ＦＤＤ方式に基づくサービスエリアのチャネルおよびＣＤＭＡ−ＴＤＤ方式に基づくサービスエリアのチャネルの双方が割当可能であり、かつ、該チャネル割当要求に係る移動局の下り共通チャネルの受信電力の最大値が大きい場合には、ＣＤＭＡ−ＴＤＤ方式に基づくサービスエリアのチャネルを割り当てることを特徴とする。
【００６３】
本発明の第４７の態様は、移動局と１以上のサービスエリアを有する基地局との間の通信に用いるチャネルを割り当てる通信装置であって、チャネル割当要求があった際に、該チャネル割当要求に対して、ＣＤＭＡ−ＦＤＤ方式に基づくサービスエリアのチャネルおよびＣＤＭＡ−ＴＤＤ方式に基づくサービスエリアのチャネルの双方が割当可能である場合には、該チャネル割当要求に係る通信の種類に応じて、ＣＤＭＡ−ＦＤＤ方式に基づくサービスエリアのチャネルまたはＣＤＭＡ−ＴＤＤ方式に基づくサービスエリアのチャネルの一方を割り当てることを特徴とする。
【００６４】
本発明の第４８の態様は、移動局と１以上のサービスエリアを有する基地局との間の通信に用いるチャネルを割り当てる通信装置であって、ＣＤＭＡ−ＴＤＤ方式に基づくサービスエリアのチャネルを割り当てられており、かつ、ＣＤＭＡ−ＦＤＤ方式に基づくサービスエリアのチャネルを割当可能な移動局のうち、ハンドオーバの頻度の高い移動局について、その割当チャネルを、ＣＤＭＡ−ＴＤＤ方式に基づくチャネルからＣＤＭＡ−ＦＤＤ方式に基づくチャネルに切り替えることを特徴とする。
【００６５】
本発明の第４９の態様は、移動局と１以上のサービスエリアを有する基地局との間の通信に用いるチャネルを割り当てる通信装置であって、ＣＤＭＡ−ＦＤＤ方式に基づくサービスエリアのチャネルを割り当てられており、かつ、ＣＤＭＡ−ＴＤＤ方式に基づくサービスエリアのチャネルを割当可能な移動局のうち、ハンドオーバの頻度の低い移動局について、その割当チャネルを、ＣＤＭＡ−ＦＤＤ方式に基づくチャネルからＣＤＭＡ−ＴＤＤ方式に基づくチャネルに切り替えることを特徴とする。
【００６６】
本発明の第５０の態様は、移動局と１以上のサービスエリアを有する基地局との間の通信に用いるチャネルを割り当てる通信装置であって、ＣＤＭＡ−ＴＤＤ方式に基づくサービスエリアのチャネルを割り当てられており、かつ、ＣＤＭＡ−ＦＤＤ方式に基づくサービスエリアのチャネルを割当可能な移動局のうち、送信電力の大きい移動局について、その割当チャネルを、ＣＤＭＡ−ＴＤＤ方式に基づくチャネルからＣＤＭＡ−ＦＤＤ方式に基づくチャネルに切り替えることを特徴とする。
【００６７】
本発明の第５１の態様は、移動局と１以上のサービスエリアを有する基地局との間の通信に用いるチャネルを割り当てる通信装置であって、ＣＤＭＡ−ＦＤＤ方式に基づくサービスエリアのチャネルを割り当てられており、かつ、ＣＤＭＡ−ＴＤＤ方式に基づくサービスエリアのチャネルを割当可能な移動局のうち、送信電力の小さい移動局について、その割当チャネルを、ＣＤＭＡ−ＦＤＤ方式に基づくチャネルからＣＤＭＡ−ＴＤＤ方式に基づくチャネルに切り替えることを特徴とする。
【００６８】
本発明の第５２の態様は、移動局と１以上のサービスエリアを有する基地局との間の通信に用いるチャネルを割り当てる通信装置であって、ＣＤＭＡ−ＴＤＤ方式に基づくサービスエリアのチャネルを割り当てられており、かつ、ＣＤＭＡ−ＦＤＤ方式に基づくサービスエリアのチャネルを割当可能な移動局のうち、現在の通信相手の基地局の下り共通チャネルの受信電力が小さい移動局について、その割当チャネルを、ＣＤＭＡ−ＴＤＤ方式に基づくチャネルからＣＤＭＡ−ＦＤＤ方式に基づくチャネルに切り替えることを特徴とする。
【００６９】
本発明の第５３の態様は、移動局と１以上のサービスエリアを有する基地局との間の通信に用いるチャネルを割り当てる通信装置であって、ＣＤＭＡ−ＦＤＤ方式に基づくサービスエリアのチャネルを割り当てられており、かつ、ＣＤＭＡ−ＴＤＤ方式に基づくサービスエリアのチャネルを割当可能な移動局のうち、現在の通信相手の基地局の下り共通チャネルの受信電力が大きい移動局について、その割当チャネルを、ＣＤＭＡ−ＦＤＤ方式に基づくチャネルからＣＤＭＡ−ＴＤＤ方式に基づくチャネルに切り替えることを特徴とする。
【００７０】
本発明の第５４の態様は、移動局と１以上のサービスエリアを有する基地局との間の通信に用いるチャネルを割り当てる通信装置であって、ＣＤＭＡ−ＴＤＤ方式に基づくサービスエリアのチャネルを割り当てられており、かつ、ＣＤＭＡ−ＦＤＤ方式に基づくサービスエリアのチャネルを割当可能な移動局のうち、上りのトラヒックと下りのトラヒックとのバランスがとれている移動局について、その割当チャネルを、ＣＤＭＡ−ＴＤＤ方式に基づくチャネルからＣＤＭＡ−ＦＤＤ方式に基づくチャネルに切り替えることを特徴とする。
【００７１】
本発明の第５５の態様は、移動局と１以上のサービスエリアを有する基地局との間の通信に用いるチャネルを割り当てる通信装置であって、ＣＤＭＡ−ＦＤＤ方式に基づくサービスエリアのチャネルを割り当てられており、かつ、ＣＤＭＡ−ＴＤＤ方式に基づくサービスエリアのチャネルを割当可能な移動局のうち、上りのトラヒックと下りのトラヒックとのバランスがとれていない移動局について、その割当チャネルを、ＣＤＭＡ−ＦＤＤ方式に基づくチャネルからＣＤＭＡ−ＴＤＤ方式に基づくチャネルに切り替えることを特徴とする。
【００７２】
本発明の第５６の態様は、移動局と１以上のサービスエリアを有する基地局との間の通信に用いるチャネルを割り当てる通信装置であって、ＣＤＭＡ−ＴＤＤ方式に基づくサービスエリアのチャネルを割り当てられており、かつ、ＣＤＭＡ−ＦＤＤ方式に基づくサービスエリアのチャネルを割当可能な移動局のうち、その割当チャネルを、ＣＤＭＡ−ＴＤＤ方式に基づくチャネルからＣＤＭＡ−ＦＤＤ方式に基づくチャネルに切り替えることにより、ＣＤＭＡ−ＦＤＤ方式に基づくサービスエリアの上りのトラヒックと下りのトラヒックとのバランスがとれるようになる移動局について、その割当チャネルを、ＣＤＭＡ−ＴＤＤ方式に基づくチャネルからＣＤＭＡ−ＦＤＤ方式に基づくチャネルに切り替えることを特徴とする。
【００７３】
本発明の第５７の態様は、移動局と１以上のサービスエリアを有する基地局との間の通信に用いるチャネルを割り当てる通信装置であって、ＣＤＭＡ−ＦＤＤ方式に基づくサービスエリアのチャネルを割り当てられており、かつ、ＣＤＭＡ−ＴＤＤ方式に基づくサービスエリアのチャネルを割当可能な移動局のうち、その割当チャネルを、ＣＤＭＡ−ＦＤＤ方式に基づくチャネルからＣＤＭＡ−ＴＤＤ方式に基づくチャネルに切り替えることにより、ＣＤＭＡ−ＦＤＤ方式に基づくサービスエリアの上りのトラヒックと下りのトラヒックとのバランスがとれるようになる移動局について、その割当チャネルを、ＣＤＭＡ−ＦＤＤ方式に基づくチャネルからＣＤＭＡ−ＴＤＤ方式に基づくチャネルに切り替えることを特徴とする。
【００７４】
本発明の第５８の態様は、移動局と１以上のサービスエリアを有する基地局との間の通信に用いるチャネルを割り当てる通信装置であって、ＣＤＭＡ−ＴＤＤ方式に基づくサービスエリアのチャネルを割り当てられており、かつ、ＣＤＭＡ−ＦＤＤ方式に基づくサービスエリアのチャネルを割当可能な移動局のうち、現在特定の種類の通信を行っている移動局について、その割当チャネルを、ＣＤＭＡ−ＴＤＤ方式に基づくチャネルからＣＤＭＡ−ＦＤＤ方式に基づくチャネルに切り替えることを特徴とする。
【００７５】
本発明の第５９の態様は、移動局と１以上のサービスエリアを有する基地局との間の通信に用いるチャネルを割り当てる通信装置であって、ＣＤＭＡ−ＦＤＤ方式に基づくサービスエリアのチャネルを割り当てられており、かつ、ＣＤＭＡ−ＴＤＤ方式に基づくサービスエリアのチャネルを割当可能な移動局のうち、現在特定の種類の通信を行っている移動局について、その割当チャネルを、ＣＤＭＡ−ＦＤＤ方式に基づくチャネルからＣＤＭＡ−ＴＤＤ方式に基づくチャネルに切り替えることを特徴とする。
【００７６】
本発明の第６０の態様は、移動局と１以上のサービスエリアを有する基地局との間の通信に用いるチャネルを割り当てる通信装置であって、ＣＤＭＡ−ＴＤＤ方式に基づくサービスエリアのトラヒックまたは干渉が大きくなった場合には、該サービスエリアのチャネルを割り当てられており、かつ、ＣＤＭＡ−ＦＤＤ方式に基づくサービスエリアのチャネルを割当可能な移動局について、その割当チャネルを、ＣＤＭＡ−ＴＤＤ方式に基づくチャネルからＣＤＭＡ−ＦＤＤ方式に基づくチャネルに切り替えることを特徴とする。
【００７７】
本発明の第６１の態様は、移動局と１以上のサービスエリアを有する基地局との間の通信に用いるチャネルを割り当てる通信装置であって、ＣＤＭＡ−ＦＤＤ方式に基づくサービスエリアのトラヒックまたは干渉が大きくなった場合には、該サービスエリアのチャネルを割り当てられており、かつ、ＣＤＭＡ−ＴＤＤ方式に基づくサービスエリアのチャネルを割当可能な移動局について、その割当チャネルを、ＣＤＭＡ−ＦＤＤ方式に基づくチャネルからＣＤＭＡ−ＴＤＤ方式に基づくチャネルに切り替えることを特徴とする。
【００７８】
本発明の第６２の態様は、本発明の第４２ないし第６１のいずれかの態様の通信装置であって、該通信装置は、基地局を制御する制御局であることを特徴とする。
【００７９】
本発明の第６３の態様は、本発明の第４２ないし第６１のいずれかの態様の通信装置であって、該通信装置は、基地局であることを特徴とする。
【００８０】
以上の構成によれば、移動通信システムにおいて、ＦＤＤ方式に基づくサービスエリアのチャネルと、ＴＤＤ方式に基づくサービスエリアのチャネルの双方を割り当てることができる場合に、適切なチャネル割当を行うことができる。
【発明の効果】
【００８１】
本発明によれば、移動通信システムにおいて、ＦＤＤ方式に基づくサービスエリアのチャネルと、ＴＤＤ方式に基づくサービスエリアのチャネルの双方を割り当てることができる場合に、適切なチャネル割当を行うことができる。
【発明を実施するための最良の形態】
【００８２】
以下、図面を参照しつつ本発明の実施の形態について詳しく説明する。各実施形態における移動通信システムの構成例としては、例えば図１や図３に示したものを用いることができる。
【００８３】
（第１実施形態）
本発明の第１実施形態においては、チャネル割当要求があった際に、そのチャネル割当要求に対して、ＣＤＭＡ−ＦＤＤ方式に基づくサービスエリアのチャネルと、ＣＤＭＡ−ＴＤＤ方式に基づくサービスエリアのチャネルの双方が割当可能（割り当てることにより通信が可能）である場合には、ＣＤＭＡ−ＦＤＤ方式に基づくサービスエリアのチャネルを割り当てる。
【００８４】
例えば、図５に示すように、ＣＤＭＡ−ＴＤＤ方式に基づくサービスエリア３０１のチャネルを割り当てられている移動局が、サービスエリア３０２へ移動する場合（ハンドオーバを行う場合）に、ＣＤＭＡ−ＦＤＤ方式に基づくサービスエリア４０１のチャネル、またはＣＤＭＡ−ＴＤＤ方式に基づくサービスエリア３０２のチャネルのどちらを割り当てるかが問題となる。また、サービスエリア３０２で呼が生起した場合にも同様の問題が生じる。
【００８５】
本実施形態では、ＣＤＭＡ−ＦＤＤ方式に基づくサービスエリアの方がＣＤＭＡ−ＴＤＤ方式に基づくサービスエリアよりも一般に大きく、ハンドオーバも起こりにくいこと等を考慮して、ＣＤＭＡ−ＦＤＤ方式に基づくサービスエリア４０１のチャネルを割り当てるようにしている。
【００８６】
なお、本実施形態においては、移動局が基地局の送信する下り共通チャネル（例えば、とまり木チャネル）を受信し、現在どの基地局のどのサービスエリアに在圏するか（どのサービスエリアのチャネル割当を受けることが可能か）を随時判断し、制御局に報告するようにしている。
【００８７】
（第２実施形態）
本発明の第２実施形態においては、チャネル割当要求があった際に、そのチャネル割当要求に対して、ＣＤＭＡ−ＦＤＤ方式に基づくサービスエリアのチャネルと、ＣＤＭＡ−ＴＤＤ方式に基づくサービスエリアのチャネルの双方が割当可能である場合には、該チャネル割当要求に係る移動局のハンドオーバの頻度が高い場合、ＣＤＭＡ−ＦＤＤ方式に基づくサービスエリアのチャネルを割り当て、該チャネル割当要求に係る移動局のハンドオーバの頻度が低い場合、ＣＤＭＡ−ＴＤＤ方式に基づくサービスエリアのチャネルを割り当てる。
【００８８】
本実施形態においても、ＣＤＭＡ−ＦＤＤ方式に基づくサービスエリアの方がＣＤＭＡ−ＴＤＤ方式に基づくサービスエリアよりも一般に大きく、ハンドオーバも起こりにくいこと等を考慮して、移動頻度が高い（これまでのハンドオーバ回数が多い）移動局には、ＣＤＭＡ−ＦＤＤ方式に基づくサービスエリアのチャネルを割り当て、移動頻度が低い（これまでのハンドオーバ回数が少ない）移動局には、ＣＤＭＡ−ＴＤＤ方式に基づくサービスエリアのチャネルを割り当てるようにしている。
【００８９】
移動局のハンドオーバの頻度が高いか低いかの判断は、例えば、呼が生起してからのハンドオーバ回数、過去の一定時間におけるハンドオーバ回数等を、しきい値と比較することにより行うことができる。
【００９０】
例えば、図６に示すように移動局が移動した場合に、最初の２回はＣＤＭＡ−ＴＤＤ方式に基づくサービスエリアのチャネルが割り当てられ、３回目はＣＤＭＡ−ＦＤＤ方式に基づくサービスエリアのチャネルが割り当てられる。なお、図６において、３１１〜３１４はＣＤＭＡ−ＴＤＤ方式に基づくサービスエリアを示し、４１１はＣＤＭＡ−ＦＤＤ方式に基づくサービスエリアを示す。
【００９１】
本実施形態においては、ハンドオーバの頻度が高い場合には、ＣＤＭＡ−ＦＤＤ方式に基づくサービスエリアのチャネルを割り当て、ハンドオーバの頻度が低い場合には、ＣＤＭＡ−ＴＤＤ方式に基づくサービスエリアのチャネルを割り当てているが、ハンドオーバの頻度が高い場合にのみ、このような割当（ＣＤＭＡ−ＦＤＤ方式に基づくサービスエリアのチャネル割当）を行い、ハンドオーバの頻度が低い場合には他の基準（例えば、各方式のチャネルの空き具合）により割り当てるチャネルの方式を決定するようにしてもよい。
【００９２】
また、以上の説明では、チャネル割当要求があった場合について説明したが、チャネルが割り当てられており、ハンドオーバが起こらない状態においても、このような処理を行うことができる。すなわち、ＣＤＭＡ−ＴＤＤ方式に基づくサービスエリアのチャネルを割り当てられており、かつ、ＣＤＭＡ−ＦＤＤ方式に基づくサービスエリアのチャネルを割当可能な移動局のうち、ハンドオーバの頻度の高い移動局について、その割当チャネルを、ＣＤＭＡ−ＴＤＤ方式に基づくチャネルからＣＤＭＡ−ＦＤＤ方式に基づくチャネルに切り替えるようにすることができる。このような切り替えは、例えば、ＣＤＭＡ−ＴＤＤ方式に基づくサービスエリアのトラヒックまたは干渉が大きくなった場合に行うようにすることができる。
【００９３】
また、ＣＤＭＡ−ＦＤＤ方式に基づくサービスエリアのチャネルを割り当てられており、かつ、ＣＤＭＡ−ＴＤＤ方式に基づくサービスエリアのチャネルを割当可能な移動局のうち、ハンドオーバの頻度の低い移動局について、その割当チャネルを、ＣＤＭＡ−ＦＤＤ方式に基づくチャネルからＣＤＭＡ−ＴＤＤ方式に基づくチャネルに切り替えるようにすることもできる。このような切り替えは、例えば、ＣＤＭＡ−ＦＤＤ方式に基づくサービスエリアのトラヒックまたは干渉が大きくなった場合に行うようにすることができる。
【００９４】
（第３実施形態）
本発明の第３実施形態においては、ＣＤＭＡ−ＴＤＤ方式に基づくサービスエリアのトラヒックまたは干渉が大きい場合に、ＣＤＭＡ−ＴＤＤ方式に基づくサービスエリアのチャネルを割り当てられており、かつ、ＣＤＭＡ−ＦＤＤ方式に基づくサービスエリアのチャネルを割当可能な移動局のうち、送信電力の大きい移動局について、その割当チャネルを、ＣＤＭＡ−ＴＤＤ方式に基づくチャネルからＣＤＭＡ−ＦＤＤ方式に基づくチャネルに切り替える。
【００９５】
例えば、図７において、ＣＤＭＡ−ＴＤＤ方式に基づくサービスエリア３２１のチャネルを割り当てられている移動局Ａ〜Ｃが図７のような場所に位置し、その送信電力が図８のような状態であったとする。この状態で、ＣＤＭＡ−ＴＤＤ方式に基づくサービスエリア３２１のトラヒックまたは干渉が大きい場合、本実施形態では、送信電力の大きい順、すなわち、移動局Ｃ、移動局Ｂ、移動局Ａの順番で、必要に応じて、その割当チャネルを、ＣＤＭＡ−ＴＤＤ方式に基づくチャネル（ＣＤＭＡ−ＴＤＤ方式に基づくサービスエリア３２１のチャネル）からＣＤＭＡ−ＦＤＤ方式に基づくチャネル（ＣＤＭＡ−ＦＤＤ方式に基づくサービスエリア４２１のチャネル）に切り替える。移動局ＣにＣＤＭＡ−ＴＤＤ方式に基づくチャネルを割り当てると、ＣＤＭＡ−ＴＤＤ方式に基づくサービスエリア３２１の干渉に与える影響が大きく、ＣＤＭＡ−ＴＤＤ方式に基づくサービスエリア３２１とＣＤＭＡ−ＦＤＤ方式に基づくサービスエリア４２１との間のチャネル割当ての分担上、移動機Ｃのような移動機にはＣＤＭＡ−ＦＤＤ方式に基づくチャネルを割り当てることが好ましく、移動機Ａのような移動機にはＣＤＭＡ−ＴＤＤ方式に基づくチャネルを割り当てることが好ましいと考えられるからである。
【００９６】
したがって、ＣＤＭＡ−ＦＤＤ方式に基づくサービスエリアのトラヒックまたは干渉が大きい場合に、ＣＤＭＡ−ＦＤＤ方式に基づくサービスエリアのチャネルを割り当てられており、かつ、ＣＤＭＡ−ＴＤＤ方式に基づくサービスエリアのチャネルを割当可能な移動局のうち、送信電力の小さい移動局について、その割当チャネルを、ＣＤＭＡ−ＦＤＤ方式に基づくチャネルからＣＤＭＡ−ＴＤＤ方式に基づくチャネルに切り替えることも考えられる。
【００９７】
また、本実施形態では、移動局の送信電力を基準に切り替えを行う移動局を決定しているが、移動局による下り共通チャネルの受信電力を基準に切り替えを行うようにしてもよい。すなわち、ＣＤＭＡ−ＴＤＤ方式に基づくサービスエリアのトラヒックまたは干渉が大きい場合に、ＣＤＭＡ−ＴＤＤ方式に基づくサービスエリアのチャネルを割り当てられており、かつ、ＣＤＭＡ−ＦＤＤ方式に基づくサービスエリアのチャネルを割当可能な移動局のうち、現在の通信相手の基地局の下り共通チャネルの受信電力が小さい移動局について、その割当チャネルを、ＣＤＭＡ−ＴＤＤ方式に基づくチャネルからＣＤＭＡ−ＦＤＤ方式に基づくチャネルに切り替えるようにすることができる。現在の通信相手の基地局の下り共通チャネルの受信電力が小さい移動局は、その基地局から離れており、送信電力が大きいと考えられるからである。
【００９８】
また、ＣＤＭＡ−ＦＤＤ方式に基づくサービスエリアのトラヒックまたは干渉が大きい場合に、ＣＤＭＡ−ＦＤＤ方式に基づくサービスエリアのチャネルを割り当てられており、かつ、ＣＤＭＡ−ＴＤＤ方式に基づくサービスエリアのチャネルを割当可能な移動局のうち、現在の通信相手の基地局の下り共通チャネルの受信電力が大きい移動局について、その割当チャネルを、ＣＤＭＡ−ＦＤＤ方式に基づくチャネルからＣＤＭＡ−ＴＤＤ方式に基づくチャネルに切り替えるようにすることができる。現在の通信相手の基地局の下り共通チャネルの受信電力が大きい移動局は、その基地局に近く、送信電力が小さいと考えられるからである。
【００９９】
本実施形態では、サービスエリアのトラヒックまたは干渉が大きい場合に切り替えを行うようにしているが、トラヒックまたは干渉の大小とは無関係に切り替えを行うようにしてもよい。
【０１００】
また、チャネル割当要求があった際に、該チャネル割当要求に対して、ＣＤＭＡ−ＦＤＤ方式に基づくサービスエリアのチャネルおよびＣＤＭＡ−ＴＤＤ方式に基づくサービスエリアのチャネルの双方が割当可能であり、かつ、該チャネル割当要求に係る移動局の下り共通チャネルの受信電力の最大値が小さい場合には、ＣＤＭＡ−ＦＤＤ方式に基づくサービスエリアのチャネルを割り当てるようにすることも考えられる。下り共通チャネルの受信電力の最大値が小さい場合にチャネル割当てを行うと、チャネル割当後の移動局による送信電力が大きくなる可能性が高いからである。
【０１０１】
また、チャネル割当要求があった際に、該チャネル割当要求に対して、ＣＤＭＡ−ＦＤＤ方式に基づくサービスエリアのチャネルおよびＣＤＭＡ−ＴＤＤ方式に基づくサービスエリアのチャネルの双方が割当可能であり、かつ、該チャネル割当要求に係る移動局の下り共通チャネルの受信電力の最大値が大きい場合には、ＣＤＭＡ−ＴＤＤ方式に基づくサービスエリアのチャネルを割り当てることも考えられる。下り共通チャネルの受信電力の最大値が大きい場合にチャネル割当てを行うと、チャネル割当後の移動局による送信電力が小さくなる可能性が高いからである。
【０１０２】
なお、移動局の送信電力やとまり木チャネルの受信電力は、例えば、移動局が随時制御局に報告するようにすることができる。
【０１０３】
（第４実施形態）
本発明の第４実施形態においては、ＣＤＭＡ−ＴＤＤ方式に基づくサービスエリアのトラヒックまたは干渉が大きい場合に、ＣＤＭＡ−ＴＤＤ方式に基づくサービスエリアのチャネルを割り当てられており、かつ、ＣＤＭＡ−ＦＤＤ方式に基づくサービスエリアのチャネルを割当可能な移動局のうち、上りのトラヒック（移動局から基地局への通信のトラヒック）と下りのトラヒック（基地局から移動局への通信のトラヒック）とのバランスがとれている移動局について、その割当チャネルを、ＣＤＭＡ−ＴＤＤ方式に基づくチャネルからＣＤＭＡ−ＦＤＤ方式に基づくチャネルに切り替える。
【０１０４】
また、ＣＤＭＡ−ＦＤＤ方式に基づくサービスエリアのトラヒックまたは干渉が大きい場合に、ＣＤＭＡ−ＦＤＤ方式に基づくサービスエリアのチャネルを割り当てられており、かつ、ＣＤＭＡ−ＴＤＤ方式に基づくサービスエリアのチャネルを割当可能な移動局のうち、上りのトラヒックと下りのトラヒックとのバランスがとれていない移動局について、その割当チャネルを、ＣＤＭＡ−ＦＤＤ方式に基づくチャネルからＣＤＭＡ−ＴＤＤ方式に基づくチャネルに切り替える。
【０１０５】
このような切り替えを行うのは、ＣＤＭＡ−ＴＤＤ方式の方がＣＤＭＡ−ＦＤＤ方式よりも、バランスがとれていないトラヒックを扱いやすいからである。ＣＤＭＡ−ＴＤＤ方式においては、トラヒックのバランスがとれていない場合に、例えば図９に示すように、上りトラヒック（「上り」）と下りトラヒック（「下り」）とのバランスに合わせて、割当タイムスロットを設定することができる。
【０１０６】
なお、音声通信では、上りトラヒックと下りトラヒックとのバランスがとれていることが比較的多く、データ通信では、上りトラヒックと下りトラヒックとのバランスがとれていないことが比較的多い。
【０１０７】
したがって、上りトラヒックと下りトラヒックとのバランスがとれているか否かを調べずに、現在音声通信を行っている移動局について、その割当チャネルを、ＣＤＭＡ−ＴＤＤ方式に基づくチャネルからＣＤＭＡ−ＦＤＤ方式に基づくチャネルに切り替えるようにすることもできる。また、現在データ通信を行っている移動局について、その割当チャネルを、ＣＤＭＡ−ＦＤＤ方式に基づくチャネルからＣＤＭＡ−ＴＤＤ方式に基づくチャネルに切り替えるようにすることもできる。
【０１０８】
移動局が現在行っている通信の種類として、音声通信およびデータ通信以外の種類を基準に用いて、ＣＤＭＡ−ＴＤＤ方式に基づくチャネルとＣＤＭＡ−ＦＤＤ方式に基づくチャネルとの間の切り替えを行う移動局を選定するようにしてもよい。
【０１０９】
本実施形態では、サービスエリアのトラヒックまたは干渉が大きい場合に切り替えを行うようにしているが、トラヒックまたは干渉の大小とは無関係に切り替えを行うようにしてもよい。
【０１１０】
また、本実施形態では、上りトラヒックと下りのトラヒックとのバランスがとれている移動局をＣＤＭＡ−ＦＤＤ方式に基づくチャネルに切り替えるようにしている。ただし、その割当チャネルを、ＣＤＭＡ−ＴＤＤ方式に基づくチャネルからＣＤＭＡ−ＦＤＤ方式に基づくチャネルに切り替えることにより、ＣＤＭＡ−ＦＤＤ方式に基づくサービスエリアの上りのトラヒックと下りのトラヒックとのバランスがとれるようになる移動局について、その割当チャネルを、ＣＤＭＡ−ＴＤＤ方式に基づくチャネルからＣＤＭＡ−ＦＤＤ方式に基づくチャネルに切り替えるようにすることもできる。例えば、ＣＤＭＡ−ＦＤＤ方式に基づくサービスエリアにおいて、下りトラヒックが上りトラヒックに比べて大きい（高い）場合には、上りトラヒックが下りトラヒックよりも大きい移動局について切り替えを行うようにする。
【０１１１】
また、上りトラヒックと下りのトラヒックとのバランスがとれている移動局をＣＤＭＡ−ＦＤＤ方式に基づくチャネルに切り替えるようにしているが、その割当チャネルを、ＣＤＭＡ−ＦＤＤ方式に基づくチャネルからＣＤＭＡ−ＴＤＤ方式に基づくチャネルに切り替えることにより、ＣＤＭＡ−ＦＤＤ方式に基づくサービスエリアの上りのトラヒックと下りのトラヒックとのバランスがとれるようになる移動局について、その割当チャネルを、ＣＤＭＡ−ＦＤＤ方式に基づくチャネルからＣＤＭＡ−ＴＤＤ方式に基づくチャネルに切り替えるようにすることもできる。
【０１１２】
また、チャネル割当要求があった際に、該チャネル割当要求に対して、ＣＤＭＡ−ＦＤＤ方式に基づくサービスエリアのチャネルおよびＣＤＭＡ−ＴＤＤ方式に基づくサービスエリアのチャネルの双方が割当可能である場合には、該チャネル割当要求に係る通信の種類に応じて、ＣＤＭＡ−ＦＤＤ方式に基づくサービスエリアのチャネルまたはＣＤＭＡ−ＦＤＤ方式に基づくサービスエリアのチャネルの一方を割り当てることも考えられる。例えば、該チャネル割当要求に係る通信の種類が音声通信の場合には、ＣＤＭＡ−ＦＤＤ方式に基づくサービスエリアのチャネルを割り当て、該チャネル割当要求に係る通信の種類がデータ通信の場合には、ＣＤＭＡ−ＴＤＤ方式に基づくサービスエリアのチャネルを割り当てることが考えられる。
【０１１３】
（その他）
以上の説明では、ある方式に基づくサービスエリアのトラヒックまたは干渉が大きくなった場合に、何らかの基準（ハンドオーバの頻度等）により、他の方式のチャネルに切り替える移動局を決定することについても説明したが、その基準としては種々のものが考えられ、例えば、単純なものとしてランダムに選ぶことも考えられる。
【０１１４】
また、以上の実施形態では、制御局でチャネル割当を行っているが、他（例えば、基地局の１つ）で行うようにしてもよい。
【図面の簡単な説明】
【０１１５】
【図１】移動通信システムの例を示す図である。
【図２】制御局の構成例を示すブロック図である。
【図３】移動通信システムの別の例を示す図である。
【図４】１つのセルを６つのセクタに分けた例を示す図である。
【図５】移動局の移動の例を示す図である。
【図６】移動局の移動の別の例を示す図である。
【図７】移動局の位置する場所の例を示す図である。
【図８】移動局の送信電力の例を示す図である。
【図９】タイムスロットの割当例を示す図である。
【符号の説明】
【０１１６】
１１、１２  移動局
２１〜２６  基地局
３１〜３５、３０１、３０２、３１１〜３１４、３２１  ＣＤＭＡ−ＴＤＤ方式に基づくサービスエリア
４１〜４３、４６、４０１、４１１、４２１  ＣＤＭＡ−ＦＤＤ方式に基づくサービスエリア
５１、５２  制御局
５６  制御部
５７  記憶部
５８、５９  通信部
６０  セル
６１〜６６  セクタ
【図１】
2006211722.tif 000003
【図２】
2006211722.tif 000004
【図３】
2006211722.tif 000005
【図４】
2006211722.tif 000006
【図５】
2006211722.tif 000007
【図６】
2006211722.tif 000008
【図７】
2006211722.tif 000009
【図８】
2006211722.tif 000010
【図９】
2006211722.tif 000011